(57)【特許請求の範囲】
【請求項１】
ゲート開閉装置の回動動作をするゲートバー保持腕に、繊維強化プラスチック製の筒状のゲートバーが被せられ、ゲートバー保持腕の外面にゲートバーの内面が密着せしめられることにより、ゲートバー保持腕にゲートバーが固定されたゲートバー取付構造であって、ゲートバーはゲートバー保持腕に平滑な内外面を介して密着しており、ゲートバー保持腕の側面に形成されたネジ孔と、このネジ孔に対応するようにゲートバーの基部に設けられた挿通孔と、挿通孔を貫通しネジ孔に螺合する抜け止め用ボルトとよりなる抜け止め装置が設けられたことを特徴とするゲートバー取付構造。
【請求項２】
ゲート開閉装置の回動動作をするゲートバー保持腕に、繊維強化プラスチック製の筒状のゲートバーが被せられ、ゲートバー保持腕の外面にゲートバーの内面が密着せしめられることにより、ゲートバー保持腕にゲートバーが固定されたゲートバー取付構造であって、ゲートバーはゲートバー保持腕に平滑な内外面を介して密着しており、ゲートバー保持腕の側面に埋設された側面外へと常時付勢される抜け止め用ストッパと、この抜け止め用ストッパが出入りし得るゲートバーの基部に設けられた挿通孔とよりなる抜け止め装置が設けられたことを特徴とするゲートバー取付構造。
【請求項３】
ゲート開閉装置の回動動作をするゲートバー保持腕に、繊維強化プラスチック製の筒状のゲートバーが被せられ、ゲートバー保持腕の外面にゲートバーの内面が密着せしめられることにより、ゲートバー保持腕にゲートバーが固定されたゲートバー取付構造であって、ゲートバーはゲートバー保持腕に平滑な内外面を介して密着しており、ゲートバー保持腕の側面に対峙するように配置されたキーと、ゲートバーの基部に設けられたキーが係合し得る抜け止め用環状突起と、抜け止め用環状突起に形成されたキーを通過させ得る切欠溝とよりなる抜け止め装置が設けられたことを特徴とするゲートバー取付構造。
【発明の詳細な説明】
【０００１】
【発明の属する技術分野】
本発明は、駐車場等に設置されるゲート開閉装置におけるゲートバー取付構造に関する。
【０００２】
【従来の技術】
駐車場の出入口等に設置されるゲート開閉装置はゲートバーを上下に回動させることで通路を開閉するようになっており、ゲートバーはゲート開閉装置の回動動作をするゲートバー保持腕に取り付けられている。実開昭５９−６９０６０号公報、実開昭５５−１５１５６号公報、特開２００１−７３３３０は、ゲート開閉装置におけるゲートバーの取付構造について開示する。
【０００３】
実開昭５９−６９０６０号公報のゲートバーの取付構造は、上下に回動動作するゲートバー保持腕をパイプ材で作ってすり割り溝を形成し、すり割り溝を挟むようにゲートバー保持腕の側面にボルトの挿通片を固着し、ゲートバーをゲートバー保持腕内に挿入した後、挿通片に通したボルトを締め付けることによりゲートバー保持腕でゲートバーを把持するようになっている。
【０００４】
実開昭５５−１５１５６号公報のゲートバーの取付構造は、上下に回動動作するゲートバー保持腕に第一と第二のクランプ装置を設け、各クランプ装置によるゲートバーのクランプ力を加減することでゲートバーの停止位置を微調整するようになっている。
【０００５】
特開２００１−７３３３０のゲートバーの取付構造は、上下に回動動作するゲートバー保持腕をその長手方向に沿って二つ割りし、二つの割り片でゲートバーの基部を挟んだ後ロック装置により二つの割り片を固定するようになっている。
【０００６】
【発明が解決しようとする課題】
実開昭５９−６９０６０号公報のゲートバーの取付構造は、ボルトの締め過ぎによりゲートバーに亀裂が生じたり、ゲートバーが変形したりしやすいのでボルト締め調整が面倒であるという問題がある。
【０００７】
実開昭５５−１５１５６号公報のゲートバーの取付構造は、二つのクランプ装置でゲートバーを固定するので、ゲートバーの取付に時間がかかるし、大きな設置スペースを必要とするという問題がある。
【０００８】
特開２００１−７３３３０のゲートバーの取付構造は、ゲートバー保持腕の二つの割り片を固定するためにロック装置を設けなければならないという問題がある。また、ゲートバーとゲートバー保持腕との間に弾性部材を設けなければならないという問題もある。
【０００９】
本発明は上記諸問題点を解決することを目的とする。
【００１０】
【課題を解決するための手段】
上記課題を解決するため、請求項１に係る発明は、ゲート開閉装置の回動動作をするゲートバー保持腕（６）に、繊維強化プラスチック製の筒状のゲートバー（５）が被せられ、ゲートバー保持腕（６）の外面（６ａ）にゲートバー（５）の内面（５ａ）が密着せしめられることにより、ゲートバー保持腕（６）にゲートバー（５）が固定されたゲートバー取付構造であって、ゲートバー（５）はゲートバー保持腕（６）に平滑な内外面（５ａ，６ａ）を介して密着しており、ゲートバー保持腕（６）の側面に形成されたネジ孔（１９ａ）と、このネジ孔（１９ａ）に対応するようにゲートバー（５）の基部に設けられた挿通孔（１９ｂ）と、挿通孔（１９ｂ）を貫通しネジ孔（１９ａ）に螺合する抜け止め用ボルト（１９ｃ）とよりなる抜け止め装置（１９）が設けられたゲートバー取付構造を採用する。
【００１２】
また、請求項２に係る発明は、ゲート開閉装置の回動動作をするゲートバー保持腕（６）に、繊維強化プラスチック製の筒状のゲートバー（５）が被せられ、ゲートバー保持腕（６）の外面にゲートバー（５）の内面が密着せしめられることにより、ゲートバー保持腕（６）にゲートバー（５）が固定されたゲートバー取付構造であって、ゲートバー（５）はゲートバー保持腕（６）に平滑な内外面（５ａ，６ａ）を介して密着しており、ゲートバー保持腕（６）の側面に埋設された側面外へと常時付勢される抜け止め用ストッパ（２０）と、この抜け止め用ストッパ（２０）が出入りし得るゲートバー（５）の基部に設けられた挿通孔（１９ｂ）とよりなる抜け止め装置（１９）が設けられたゲートバー取付構造を採用する。
【００１３】
また、請求項３に係る発明は、ゲート開閉装置の回動動作をするゲートバー保持腕（６）に、繊維強化プラスチック製の筒状のゲートバー（５）が被せられ、ゲートバー保持腕（６）の外面にゲートバー（５）の内面が密着せしめられることにより、ゲートバー保持腕（６）にゲートバー（５）が固定されたゲートバー取付構造であって、ゲートバー（５）はゲートバー保持腕（６）に平滑な内外面（５ａ，６ａ）を介して密着しており、ゲートバー保持腕（６）の側面に対峙するように配置されたキー（２３）と、ゲートバー（５）の基部に設けられたキー（２３）が係合し得る抜け止め用環状突起（２４）と、抜け止め用環状突起（２４）に形成されたキー（２３）を通過させ得る切欠溝（２５）とよりなる抜け止め装置（１９）が設けられたゲートバー取付構造を採用する。
【００１４】
【発明の実施の形態】
次に、本発明の実施の形態について図面を参照して説明する。
【００１５】
＜実施の形態１＞
図１に示すように、ゲート開閉装置は、例えば駐車場と一般道との間の通路１に設けられる。
【００１６】
ゲート開閉装置の駆動部等は路側に設けられた土台２上に配置され、その全体がケース３で覆われている。ケース３からは駆動軸４が片持ち状に水平方向に突出し、この駆動軸４に上下に回動動作をするゲートバー保持腕６が固定され、ゲートバー保持腕６に通路１を開閉するゲートバー５が固定されている。ゲート開閉装置は、駆動軸４を駆動し、ゲートバー５を実線位置に倒すことで通路１を遮断し、ゲートバー５を二点鎖線位置に起立させることで通路１を開放する。
【００１７】
ケース３内の駆動部は、図示しないが、モータと、モータから減速機を介して駆動軸４へとトルクを伝達する伝動機構とを備えている。この実施の形態では公知の駆動装置を利用するものとし、その詳細な説明は省略する。
【００１８】
このゲート開閉装置は、図２に示すようなゲートバー取付構造を備える。
【００１９】
すなわち、ゲートバー保持腕６に繊維強化プラスチック製の筒状のゲートバー５が被せられ、ゲートバー保持腕６の外面６ａにゲートバー５の内面５ａが密着せしめられることにより、ゲートバー保持腕６にゲートバー５が固定される。
【００２０】
ゲートバー保持腕６は、駆動軸４の先端に駆動軸４の軸方向と直角な方向に固定される。具体的には、駆動軸４の先端の側面にゲートバー保持腕６の保持具７が固定され、この保持具７の先端にゲートバー保持腕６が連結される。保持具７は中央の鍔部７ａを間にしてその両側に固定ネジ７ｂと保持ネジ７ｃと夫々有する。保持具７は、固定ネジ７ｂが駆動軸４の先端に穿設された横穴４ａに挿入され、鍔部７ａが駆動軸４の側面に当てられ、固定ネジ７ｂの駆動軸４を貫通した箇所にワッシャ８及びスプリングワッシャ９を介しナット１０が螺着されることにより、駆動軸４に固定される。ゲートバー保持腕６は、例えば鋼等の金属で出来たパイプで形成され、その一端の内面には雌ネジ６ｂが形成され、この雌ネジ６ｂを保持具７の保持ネジ７ｃに螺合させることにより、保持具７に固定される。
【００２１】
ゲートバー保持腕６におけるゲートバー５が接する円筒状の外面６ａは平滑面に仕上げられている。このゲートバー保持腕６は、保持具７の保持ネジ７ｃと螺合する雌ネジ６ｂを有するが外径の相違するものが予め各種用意される。これにより、保持具７の固定ネジ７ｂとナット１０との螺合を解き、ゲートバー保持腕６を付け替えることで、太さが相違する各種のゲートバーを駆動軸４に簡易に取り付けることができる。
【００２２】
ゲートバー５は、ゲートバー保持腕６の外径に略等しい内径の円筒状内面５ａを有した筒体であり、内面５ａは平滑面として仕上げられている。具体的には、ゲートバー５は繊維強化プラスチック（ＦＲＰ）で形成され、プリプレグシートをマンドレルに巻装することにより製造される。このようにして製造したゲートバー５の内面５ａは極めて平滑に形成される。このゲートバー５はその内面５ａがゲートバー保持腕６の外面６ａに密接するようにゲートバー保持腕６に被せられる。このようにゲートバー５とゲートバー保持腕６の平滑面同士が密着することから、ゲートバー５はゲートバー保持腕６に抜け落ちないように固定される。また、ゲートバー５はその端面が駆動軸４の側面に当接することによりその軸方向上での位置決めが行われる。
【００２３】
図１及び図２に示すように、ゲートバー保持腕６、駆動軸４等の周囲はハウジング１１により覆われる。このハウジング１１は、上記ケース３から突出する駆動軸４に連結される箱体１２と、箱体１２に枢軸１３を介して開閉可能に連結される蓋体１４とで構成される。
【００２４】
箱体１２は、相対向する一対の側壁１２ａ，１２ｂと両側壁１２ａ，１２ｂを連結する後壁１２ｃとを備えた概略コの字型の枠体として形成される。上記駆動軸４の先端部におけるナット１０と鍔部７ａとで挟まれる箇所には一対の平坦面４ｂが平行に形成され、箱体１２の後壁１２ｃには駆動軸４の平坦面４ｂの箇所の横断面に合致する非円形穴が穿設され、箱体１２の一方の側壁１２ｂにはゲートバー保持腕６及びゲートバー５の挿入される挿通穴１５が穿設される。この箱体１２の後壁１２ｃの非円形穴に駆動軸４が挿入され、後壁１２ｃが駆動軸４の段差部４ｃにワッシャ１６を介して当てられ、駆動軸４の先端部に形成された雄ネジに螺合するナット１７により後壁１２ｃがワッシャ１７を介し駆動軸４の段差部４ｃに押し付けられることによって、箱体１２が駆動軸４に共回り可能に固定される。
【００２５】
蓋体１４は、箱体１２の上下を覆う上下壁１４ａ，１４ｂと、箱体１２の前部を覆う上下壁１４ａ，１４ｂを連結する前壁１４ｃとを備えた概略コの字型の枠体として形成される。蓋体１４はその上下壁１４ａ，１４ｂが箱体１２の後壁１２ｃから突出するリブ１２ｄにピン状の枢軸１３を介し連結されることにより、箱体１２に対し矢印Ａ方向に開動作可能である。このような蓋体１４の開動作により、ゲートバー保持腕６、駆動軸４等の周囲はハウジング１１から露出する。また、蓋体１４と箱体１２との間にはロック装置１８が設けられ、蓋体１４の前壁１４ｃに取り付けられたロック装置１８のラッチ１８ａが箱体１２の側壁１２ｂから突出するリブ１２ｄに係脱することにより、蓋体１４が箱体１２に対しロック又はアンロックされるようになっている。
【００２６】
次に、上記構成のゲートバー取付構造の作用について説明する。
【００２７】
図１において、ケース３内のモータの駆動により駆動軸４が一方向に所定角度（例えば９０度）だけ回転すると、ゲートバー５が実線で示した閉位置から二点鎖線で示した開位置へと回転し、駆動軸４が逆方向に所定角度（例えば−９０度）だけ回転すると、ゲートバー５が二点鎖線で示した開位置から実線で示した閉位置へと回転する。
【００２８】
このゲートバー５の開閉動作の際、ハウジング１１は駆動軸４等を覆った状態で駆動軸４等と共に回転する。
【００２９】
また、ゲートバー５はゲートバー保持腕６に平滑な内外面５ａ，６ａを介して密着しており、ゲートバー保持腕６にしっかりと固定されている。そのため、ゲートバー５がゲートの開閉に伴い上述した首振り運動を行っても、ゲートバー５はゲートバー保持腕６から抜け落ちることなくゲートバー保持腕６に保持される。
【００３０】
ゲートバー５を他の同じ大きさのものと交換する場合は、ゲートバー保持腕６からゲートバー５を引き抜き、新たなゲートバー５をハウジング１１の側壁１２ｂの挿通穴１５から差し込んで再びゲートバー保持腕６に被せる。新たなゲートバー５はゲートバー保持腕６に平滑な内外面５ａ，６ａを介して密着し、ゲートバー保持腕６に保持される。
【００３１】
また、ゲートバー５を異径のものと交換する場合は、ロック装置１８をアンロックし、ハウジング１１の蓋体１４を箱体１２に対し枢軸１３上で回動させ、ハウジング１１を開いて駆動軸４及びゲートバー保持腕６を露出させる。そこで、ナット１０を外してゲートバー保持腕６を他の径のものと交換し、新たなゲートバー５をハウジング１１の側壁１２ｂの挿通穴１５から差し込んで新たなゲートバー保持腕６に被せる。新たなゲートバー５は交換後の新たなゲートバー保持腕６に平滑な内外面５ａ，６ａを介して密着し、ゲートバー保持腕６に保持される。
【００３２】
＜実施の形態２＞
図３に示すように、この実施の形態２のゲートバー取付構造では、ゲートバーの抜け止め装置１９が設けられている。
【００３３】
この抜け止め装置１９は、ゲートバー保持腕６の側面に形成されたネジ孔１９ａと、このネジ孔１９ａに対応するようにゲートバー５の基部に設けられた挿通孔１９ｂと、挿通孔１９ｂを貫通しネジ孔１９ａに螺合する抜け止め用ボルト１９ｃとを備えている。
【００３４】
抜け止めボルト１９ｃは、具体的には手動操作が可能な蝶ボルトであり、そのネジ軸が挿通孔１９ｂを貫通しネジ孔１９ａに螺合することにより、ゲートバー保持腕６からのゲートバー５の抜け出しを阻止すると共にゲートバー５周方向への回転を阻止する。
【００３５】
＜実施の形態３＞
図４及び図５に示すように、この実施の形態３のゲートバー取付構造では、実施の形態２とは異なる構成のゲートバーの抜け止め装置１９が設けられている。
【００３６】
この抜け止め装置１９は、ゲートバー保持腕６の側面に埋設された側面外へと常時付勢される抜け止め用ストッパ２０と、この抜け止め用ストッパ２０が出入りし得るゲートバー５の基部に設けられた挿通孔１９ｂとを備える。
【００３７】
抜け止め用ストッパ２０は、ネジ棒２１の中に形成された空洞２１ａ内にネジ棒２１の一端から出没可能に挿入され、同じく空洞２１ａ内に挿入された圧縮コイルバネ２２により突出方向に常時付勢される。圧縮コイルバネ２２はネジ棒２１の後端に被せられる蓋２１ｂにより空洞２１ａ内に閉じ込められる。抜け止め用ストッパ２０と、ネジ棒２１と、圧縮コイルバネ２２と、蓋２１ｂとはアセンブリ化され、ネジ棒２１がゲートバー保持腕６の側面に形成されたネジ穴に螺入されることによりゲートバー保持腕６に装着される。
【００３８】
図５に示すように、ゲートバー保持腕６に被せられたゲートバー５の挿通孔１９ｂに圧縮コイルバネ２２により付勢された抜け止め用ストッパ２０が入り込み、これによりゲートバー５のゲートバー保持腕６からの脱け出しが防止される。ゲートバー５の交換に際しゲートバー５をゲートバー保持腕６から抜き取るには、圧縮コイルバネ２２の付勢力に抗して抜け止め用ストッパ２０をゲートバー保持腕６の表面下に工具等で押し込み、ゲートバー５を引っ張ればよく、ゲートバー５はゲートバー保持腕６上を滑りつつゲートバー保持腕６から離脱する。また、新たにゲートバー５をゲートバー保持腕６に装着するには、挿通孔１９ｂに抜け止め用ストッパ２０が合致するようにゲートバー５をゲートバー保持腕６に被せればよく、抜け止め用ストッパ２０と挿通孔１９ｂが合致すると抜け止め用ストッパ２０が圧縮コイルバネ２２のバネ力により上方へ移動し、挿通孔１９ｂに入り込む。このようにゲートバー５はゲートバー保持腕６にワンタッチで取り付けられると共にゲートバー５の周方向の回転を阻止される。
【００３９】
＜実施の形態４＞
図６乃至図８に示すように、この実施の形態４のゲートバー取付構造では、実施の形態２、３とは異なる構成のゲートバーの抜け止め装置１９が設けられている。
【００４０】
この抜け止め装置１９は、ゲートバー保持腕６の側面に対峙するように配置されたキー２３と、ゲートバー５の基部に設けられたキー２３が係合し得る抜け止め用環状突起２４と、抜け止め用環状突起２４に形成されたキー２３を通過させ得る切欠溝２５とを備える。
【００４１】
キー２３はハウジング１１における蓋体１４の前壁１４ｃに止めネジ２６により固定され、ゲートバー保持腕６の側面に向かって突出する。
【００４２】
抜け止め用環状突起２４は、ゲートバー５と一体的に設けられ、図６及び図８に示すように、キー２３が抜け止め用環状突起２４の縁２４ａに当たることでゲートバー５のゲートバー保持腕６からの脱け出しが阻止される。
【００４３】
切欠溝２５は、図７及び図８に示すように、抜け止め用環状突起２４をゲートバー５の母線方向に横切るように形成される。切欠溝２５はキー２３が通過し得る程度の幅分を有する。
【００４４】
この実施の形態４においてゲートバー５をゲートバー保持腕６に取り付けるには、図７に示すように、ゲートバー５をゲートバー保持腕６上でスライドさせつつゲートバー保持腕６に被せ、切欠溝２５をキー２３に臨ませる。この操作はハウジング１１を予め開けてゲートバー保持腕６の周りを露出させておくことにより、より簡易に行うことができる。切欠溝２５内をキー２３が通過するようにゲートバー５を更にスライドさせ、ゲートバー５の端面を駆動軸４の平坦面４ｂに当てた後、図８に示すように、ゲートバー５をゲートバー保持腕６上でいずれかの向きに９０度程度捩るようにすると、キー２３がゲートバー５の抜け止め用環状突起２４の縁２４ａに引っ掛かり、ゲートバー５のゲートバー保持腕６からの脱け出しが阻止される。
【００４５】
【発明の効果】
本発明によれば、ゲートバー保持腕の外面にゲートバーの内面が密着せしめられることにより、ゲートバー保持腕にゲートバーが固定されることから、ゲートバーの取付構造が簡素化され、しかも、ゲートバーはワンタッチ操作で取り付け取り外しすることができる。また、ゲートバーの回動時にゲートバーがゲートバー保持腕から脱落することがなくガタツキも生じない。ゲートバーの取り付けに際しゲートバーに割れ等が発生することもない。
【００４６】
また、本発明によれば、ゲートバーとゲートバー保持腕との間に抜け止め装置が設けられることから、ゲートバーのゲートバー保持腕からの脱落がより効果的に防止される。
【図面の簡単な説明】
【図１】本発明に係るゲートバー取付構造を備えたゲート開閉装置の斜視図である。
【図２】図１中、ＩＩ−ＩＩ線矢視断面図である。
【図３】本発明の実施の形態２に係るゲートバー取付構造を示す図２と同様な断面図である。
【図４】本発明の実施の形態３に係るゲートバー取付構造を示す図２と同様な断面図である。
【図５】図４中、要部を拡大して示す断面図である。
【図６】本発明の実施の形態４に係るゲートバー取付構造を示す図２と同様な断面図である。
【図７】（Ａ）はゲートバーを固定する直前の状態を示す図６と同様な断面図、（Ｂ）は図（Ａ）中、Ｂ−Ｂ線矢視断面図である。
【図８】（Ａ）はゲートバーを固定した後の状態を示す図６と同様な断面図、（Ｂ）は図（Ａ）中、Ｂ−Ｂ線矢視断面図である。
【符号の説明】
５…ゲートバー
５ａ…ゲートバーの内面
６…ゲートバー保持腕
６ａ…ゲートバー保持腕の外面
１９…抜け止め装置
１９ａ…ネジ孔
１９ｂ…挿通孔
１９ｃ…抜け止め用ボルト
２０…抜け止め用ストッパ
２３…キー
２４…抜け止め用環状突起
２５…切欠溝
【図１】
0003822086.tif 000002
【図２】
0003822086.tif 000003
【図３】
0003822086.tif 000004
【図４】
0003822086.tif 000005
【図５】
0003822086.tif 000006
【図６】
0003822086.tif 000007
【図７】
0003822086.tif 000008
【図８】
0003822086.tif 000009